(57)【要約】      （修正有）【課題】電力バッファ装置において、コンデンサのサイズを低減することが可能な技術を提供する。【解決手段】アクティブバッファ回路８は、パワーコンディショナの直流リンク６に直列に接続されたパッシブコンデンサＣｐとアクティブコンデンサＣａに対して、アクティブコンデンサＣａの電圧が、パッシブコンデンサＣｐの電圧と増減を反転させた電圧に加えて、アクティブコンデンサＣａの電圧がパッシブコンデンサＣｐの電圧のＤＣバイアス成分を担う電圧となるように制御する。【選択図】図２
2019180164.tif 000002
【特許請求の範囲】
【請求項１】
電力が出力される電力出力部と該電力が入力される電力入力部とを接続する電力通電路間に接続された第１コンデンサを有し、第１コンデンサの充放電によって、該電力通電路を介した前記電力の授受を行う電力バッファ装置であって、
前記電力通電路間に前記第１コンデンサと直列に接続され、両端の電圧が制御される少なくとも一つ以上の第２コンデンサと、
前記第２コンデンサの両端の電圧を制御する電圧制御回路と、を備えた電力バッファ装置において、
前記電圧制御回路は、前記第２コンデンサに、前記第１コンデンサの両端の電圧に対して増減が反転するように変化する電圧と、かつ、前記第１コンデンサの両端の電圧の直流成分の少なくとも一部に対応する直流バイアス電圧とを印加する制御を行うことを特徴とする電力バッファ装置。
【請求項２】
前記電圧制御回路は、
前記第１コンデンサの電圧が所定の閾値を超える時間領域内において、前記第２コンデンサに、前記１コンデンサの両端の電圧の直流成分の少なくとも一部に対応する直流バイアス電圧を印加することにより、前記第１コンデンサの電圧が所定値以下となるよう制御を行うことを特徴とする請求項１に記載の電力バッファ装置。
【請求項３】
前記電力出力部は、直流電力又は交流電力を、前記出力される電力に変換する第１電力変換回路であり、
前記電力入力部は、前記入力される電力を、直流電力又は交流電力に変換する第２電力変換回路であることを特徴とする請求項１又は２に記載の電力バッファ装置。
【請求項４】
前記第１電力変換回路は、太陽光パネルによって発電された直流電力を、前記出力される直流電力に変換するＤＣ／ＤＣコンバータであり、
前記第２電力変換回路は、前記入力される直流電力を、系統電源又は負荷に入力される交流電力に変換するインバータであることを特徴とする請求項３に記載の電力バッファ装置。
【請求項５】
請求項３又は４に記載の電力バッファ装置と、前記第１電力変換回路と、前記第２電力変換回路とを備えた電力変換装置。
【請求項６】
請求項４に記載の電力バッファ装置と、前記ＤＣ／ＤＣコンバータと、前記インバータとを備えたパワーコンディショナ。
【発明の詳細な説明】
【技術分野】
【０００１】
本発明は、電力バッファ装置に関する。
【背景技術】
【０００２】
従来、系統側の瞬時電力脈動を補償するための電力バッファ装置として、インバータに直流電力を入力する直流リンクのコンデンサ容量を小さくするために、直流リンクに並列に補助回路を接続するトポロジーが提案されている（例えば、特許文献１を参照）。
【０００３】
また、直流リンクに設けるコンデンサの容量を小さくするために、直流リンクに補助回路を直列接続するトポロジーも提案されている（例えば、非特許文献１を参照）。しかし、ＤＣバス電圧が上昇する条件を想定すると、コンデンサの耐圧を低くできない。
【０００４】
ここで、直流リンクに大容量のコンデンサを使用すると、サイズの大きい大容量コンデンサを実装するために直流リンクのサイズが大きくなり、また、コストも大きくなる。また、補助回路を設けることにより、コンデンサの容量を小さくする構成でも、コンデンサの耐圧を低くできないと、コンデンサのサイズを低減することができず、直流リンクのサイズが大きくなり、また、コストも低減できないという不都合が生じる場合があった。
【先行技術文献】
【特許文献】
【０００５】
【特許文献１】特許第６２６５２９７号公報
【非特許文献】
【０００６】
【非特許文献１】Haoran Wan, Huai Wang, Frede Balaabjerg “A Voltage Control Method for an Active Capacitive DC-link Module with Series-Connected Circuit” 2017 IEEE 3rd International Future Energy Electronics Conference and ECCE Asia (IFEEC 2017-ECCE Asia), 3-7 June 2017, pp. 221-225
【発明の概要】
【発明が解決しようとする課題】
【０００７】
本発明は、上記のような問題に鑑みてなされたものであり、電力バッファ装置において、コンデンサのサイズを低減することが可能な技術を提供することを目的とする。
【課題を解決するための手段】
【０００８】
上記の課題を解決するための本発明は、電力が出力される電力出力部と該電力が入力される電力入力部とを接続する電力通電路間に接続された第１コンデンサを有し、第１コンデンサの充放電によって、該電力通電路を介した前記電力の授受を行う電力バッファ装置であって、
前記電力通電路間に前記第１コンデンサと直列に接続され、両端の電圧が制御される少なくとも一つ以上の第２コンデンサと、
前記第２コンデンサの両端の電圧を制御する電圧制御回路と、を備えた電力バッファ装置において、
前記電圧制御回路は、前記第２コンデンサに、前記第１コンデンサの両端の電圧に対して増減が反転するように変化する電圧と、かつ、前記第１コンデンサの両端の電圧の直流成分の少なくとも一部に対応する直流バイアス電圧とを印加する制御を行うことを特徴とする電力バッファ装置である。
【０００９】
本発明によれば、電力バッファ装置において、第１コンデンサの両端の電圧の直流成分の少なくとも一部に対応する直流バイアス電圧が、第２コンデンサに印加されるので、第１コンデンサの耐電圧を大きくする必要がなくなり、第１コンデンサを小型化できる。また、耐電圧がより小さいコンデンサを選択することにより、コストを低減することもできる。さらに、第１コンデンサを含む電力バッファ装置を小型化、低コスト化することもできる。電力通電路は、一対の電力通電路から構成されてもよく、その数は限定されない。また、電力出力部から出力され、電力入力部に入力される電力は、直流および交流のいずれでもよい。増減が反転するように変化するとは、一方が増加するときには他方が減少し、一方が減少するときには他方が増加するように変化することであり、波形で見ると、それぞれの波形の高さ方向の上下が反転したようになる。また、第２コンデンサは一つでもよいし、複数設けられてもよい。
【００１０】
また、本発明においては、前記電圧制御回路は、
前記第１コンデンサの電圧が所定の閾値を超える時間領域内において、前記第２コンデンサに、前記１コンデンサの両端の電圧の直流成分の少なくとも一部に対応する直流バイアス電圧を印加することにより、前記第１コンデンサの電圧が所定値以下となるよう制御を行うようにしてもよい。これによれば、電圧制御回路における損失を抑えることができる。
【００１１】
また、本発明においては、前記電力出力部は、直流電力又は交流電力を、前記出力される直流電力に変換する第１電力変換回路であり、
前記電力入力部は、前記入力される直流電力を、直流電力又は交流電力に変換する第２電力変換回路であるようにしてもよい。
【００１２】
また、本発明においては、前記第１電力変換回路は、太陽光パネルによって発電された直流電力を、前記出力される直流電力に変換するＤＣ／ＤＣコンバータであり、
前記第２電力変換回路は、前記入力される直流電力を、系統電源又は負荷に入力される交流電力に変換するインバータであるようにしてもよい。
【００１３】
また、本発明は、上記した電力バッファ装置と、前記第１電力変換回路と、前記第２電力変換回路とを備えた電力変換装置として構成することができる。
【００１４】
また、本発明は、上記した電力バッファ装置と、前記ＤＣ／ＤＣコンバータと、前記インバータとを備えたパワーコンディショナとして構成することもできる。
【発明の効果】
【００１５】
本発明によれば、電力バッファ装置において、コンデンサのサイズを低減することが可能となる。
【図面の簡単な説明】
【００１６】
【図１】本発明の実施例１におけるパワーコンディショナの概略構成図である。
【図２】本発明の実施例１における直流リンクの概略構成図である。
【図３】本発明の実施例１における各コンデンサの電圧を示すグラフである。
【図４】本発明の実施例１における制御系を示すブロック線図である。
【図５】本発明の実施例１におけるアクティブバッファ回路の回路図である。
【図６】本発明の実施例１における各コンデンサの電圧を示すグラフである。
【図７】本発明の実施例２における各コンデンサの電圧を示すグラフである。
【発明を実施するための形態】
【００１７】
〔適用例〕
以下、本発明の適用例について、図面を参照しつつ説明する。本発明は例えば、図１に示すようなパワーコンディショナ１の直流リンク６に適用される。ここで直流リンク６は電力バッファ装置の一例であり、ＤＣ／ＤＣコンバータが電力出力部及び第１電力変換回路の一例であり、インバータが電力入力部及び第２電力変換回路の一例である。直流リンク６は図２に示すように、電力通電路の一例である一対の直流電源線ＬＨ，ＬＬ間に直列に接続されたアクティブコンデンサＣａとパッシブコンデンサＣｐとを含む。アクティブコンデンサＣａの両端には、電圧制御回路の一例であるアクティブバッファ回路８が接続されている。ここで、パッシブコンデンサＣｐは第１コンデンサの一例であり、直流電源線ＬＨ，ＬＬを介して流入、流出する電力によってパッシブコンデンサＣｐが充放電される。
【００１８】
図３に示すように、パッシブコンデンサＣｐの両端の電圧に対して増減が反転するように変化する電圧と、パッシブコンデンサＣｐの両端の電圧の直流成分に対応する直流バイアスとをアクティブコンデンサＣａに印加する。このようにすることにより、太陽光パネル２の出力電圧が高く、直流リンク電圧Ｖｄｃが高くなる特定の条件のためにパッシブコンデンサの耐電圧を大きくする必要がなくなり、パッシブコンデンサＣｐとして耐電圧のより小さい、すなわちサイズが小さくコストも低いコンデンサを選択することができる。当然、パッシブコンデンサＣｐが実装された直流リンク６及びパワーコンディショナ１のサイズの小型化、低コスト化も可能となる。
【００１９】
ここでは、第２コンデンサの一例であるアクティブコンデンサＣａは一つであるが、直流リンクが二つ以上のアクティブコンデンサを備え、パッシブコンデンサＣｐの両端の電圧に対して増減が反転するように変化する電圧と、パッシブコンデンサＣｐの両端の電圧の直流成分に対応する直流バイアスを複数のアクティブコンデンサによって分担するようにしてもよい。
【００２０】
ここでは、電力バッファ装置の一例である直流リンクを備えたパワーコンディショナを例として説明するが、本発明に係る直流リンクは、無停電電源装置、車載充電器、サーボモーター等のシステムにも適用できる。
【００２１】
〔実施例１〕
以下では、本発明の実施例に係る直流リンクを含むパワーコンディショナについて、図面を用いて、より詳細に説明する。
【００２２】
直流リンクは、電力バッファ装置の一例である。アクティブバッファを備えた直流リンクを含むシステムの例として、太陽光パネルによって発電された直流電力を、交流電力に変換して系統電源に連系するパワーコンディショナ１について説明する。図１にパワーコンディショナ１の概略構成を示す。ここでは、パワーコンディショナを例として説明するが、本発明に係る電力バッファ装置の一例である直流リンクは、無停電電源装置、車載充電器、サーボモーター等のシステムにも適用できる。
【００２３】
パワーコンディショナ１は、概略、太陽光パネル２から出力された直流電圧を調整するためのＤＣ／ＤＣコンバータ３、系統電源４に同期した交流電力を出力するインバータ５、ＤＣ／コンバータ３とインバータ５の間に設けられた直流リンク６、さらにＤＣ／ＤＣコンバータ３，インバータ５及び直流リンク６を制御する制御部７を含む。
【００２４】
太陽光パネル２から出力される電力は安定動作時には一定であるのに対して、インバータ５の出力には時間的な変動がある。このような出力の変動を吸収するのが直流リンク６である。
【００２５】
図２に、直流リンク６の概略構成を示す。直流リンク６では、ＤＣ／ＤＣコンバータ３を介して太陽光パネル２から入力される直流電圧をインバータ５に出力する一対の直流電源線ＬＨ，ＬＬの間に、アクティブコンデンサＣａ及びパッシブコンデンサＣｐが直列に接続されている。アクティブコンデンサＣａの一端が直流電源線ＬＨに接続され、アクティブコンデンサＣａの他端はパッシブコンデンサＣｐの一端に接続されている。パッシブコンデンサＣｐの他端は直流電源線ＬＬに接続されている。そして、アクティブコンデンサＣａの両端には、アクティブコンデンサＣａの電圧を調整するためのアクティブバッファ回路８が接続されている。図上では省略しているが、直流電源線ＬＨ及びＬＬの左側がＤＣ／ＤＣコンバータ３の出力端に接続されており、直流電源線ＬＨ及びＬＬの右側がインバータの入力端に接続されている。
【００２６】
図３に、本実施例１に係る直流リンク６において、本実施例では、直流リンク電圧Ｖｄｃが高い条件においては、アクティブコンデンサＣａの電圧Ｖａが、パッシブコンデンサＣｐの電圧ＶｃのＤＣバイアス成分を担うように制御することで、パッシブコンデンサＣｐに印加される直流電圧成分を低減する。ここで、直流リンク電圧Ｖｄｃは、一対の直流電源線ＬＨ，ＬＬ間に生じる電圧である。上述のように構成することで、太陽光パネル２の出力電圧が高いという特定の条件のためだけにパッシブコンデンサＣｐの耐電圧を大きくする必要がなくなり、パッシブコンデンサＣｐを小型化でき、また、コストを低減することができる。パッシブコンデンサＣｐを実装した直流リンク６、また直流リンク６を含むパワーコンディショナの小型化、低コスト化も可能となる。なお、アクティブコンデンサＣａの電圧Ｖａが、パッシブコンデンサＣｐの電圧ＶｃのＤＣバイアス成分の一部を担うようにしてもよく、アクティブコンデンサＣａにパッシブコンデンサＣｐの電圧ＶｃのＤＣバイアス成分の少なくとも一部が印加されるように構成することもできる。
【００２７】
図４に、アクティブバッファ回路の制御を実現するための制御系を示す。
ここで、Ｃｐはパッシブコンデンサ、Ｃａ２はアクティブバッファ回路８内にある電力保持用コンデンサ、Ｖａはアクティブコンデンサの電圧である。
ローパスフィルタ（ＬＰＦ）を通した、電力保持用コンデンサＣａ２の電圧を、電圧指令値から減算した値に対して比例積分制御を行う。パッシブコンデンサＣｐの電圧を、バンドパスフィルタ（ＢＰＦ）を通して得られたパッシブコンデンサＣｐのＡＣ成分を時間微分した値と、先の比例積分制御の結果とを乗算する。アクティブコンデンサＣａのバイアス電圧と、パッシブコンデンサＣｐの電圧のＡＣ成分とを加算した値から、先の乗算結果を減算することにより、アクティブコンデンサＣａの電圧指令値を生成する。
【００２８】
図５は、上記制御系に従って制御されるアクティブバッファ回路８の回路図である。アクティブバッファ回路８は、直列に接続された二つのｎチャネルエンハンスメント形ＭＯＳ−ＦＥＴ（Ｔｒ１，Ｔｒ２）と、同じく直列に接続された二つのｎチャネルエンハンスメント形ＭＯＳ−ＦＥＴ（Ｔｒ３，Ｔｒ４）がアクティブコンデンサＣａ２と並列に接続されている。一方のＭＯＳ−ＦＥＴ（Ｔｒ１）のドレイン電力保持用のコンデンサＣａ２の一端に接続されている。この一方のＭＯＳ−ＦＥＴ（Ｔｒ１）のソースに他方のＭＯＳ−ＦＥＴ（Ｔｒ２）のドレインが接続され、この他方のＭＯＳ−ＦＥＴ（Ｔｒ２）のソースは電力保持用のコンデンサＣａ２の他端に接続されている。一方のＭＯＳ−ＦＥＴ（Ｔｒ１）のソースと他方のＭＯＳ−ＦＥＴ（Ｔｒ２）のドレイン間の中点に、リアクトルＬを介して、アクティブコンデンサＣａの、直流電源線ＬＨ側の端部が接続される。同様に、一方のＭＯＳ−ＦＥＴ（Ｔｒ３）のドレイン電力保持用のコンデンサＣａ２の一端に接続されている。この一方のＭＯＳ−ＦＥＴ（Ｔｒ３）のソースに他方のＭＯＳ−ＦＥＴ（Ｔｒ４）のドレインが接続され、この他方のＭＯＳ−ＦＥＴ（Ｔｒ４）のソースは電力保持用のコンデンサＣａ２の他端に接続されている。一方のＭＯＳ−ＦＥＴ（Ｔｒ３）のソースと他方のＭＯＳ−ＦＥＴ（Ｔｒ４）のドレイン間の中点には、アクティブコンデンサＣａの、直流電源線ＬＬ側の端部が接続される。
【００２９】
また、ＭＯＳ−ＦＥＴ（Ｔｒ１，Ｔｒ２，Ｔｒ３，Ｔｒ４）のドレイン・ソース間には、ダイオードＤ１，Ｄ２，Ｄ３，Ｄ４がそれぞれ逆並列に接続されている。ＭＯＳ−ＦＥＴ（Ｔｒ１）とダイオードＤ１がスイッチＳＷ１を構成し、ＭＯＳ−ＦＥＴ（Ｔｒ２）とダイオードＤ２がスイッチＳＷ２を構成し、ＭＯＳ−ＦＥＴ（Ｔｒ３）とダイオードＤ３がスイッチＳＷ３を構成し、ＭＯＳ−ＦＥＴ（Ｔｒ４）とダイオードＤ４がスイッチＳＷ４を構成している。ここでは、四つのＳＷ１〜ＳＷ４は、フルブリッジを構成している。図５では図示を省略しているが、パッシブコンデンサＣｐ及びコンデンサＣａ２の電圧をそれぞれ検出するセンサが設けられ、ぞれぞれの出力が制御部に送信される。また、制御部からの制御信号に応じてＳＷ１，ＳＷ２，ＳＷ３及びＳＷ４が駆動されオンオフ制御される。
【００３０】
本実施例の制御によるシミュレーション結果を図６により説明する。
図６（ａ）は、比較のためにアクティブコンデンサのバイアス電圧を０とした場合の各電圧を示す。図６（ａ）の上段はアクティブコンデンサＣａの電圧Ｖａ、中段はパッシブコンデンサＣｐの電圧Ｖｃ、下段は直流リンク電圧Ｖｄｃを示す。図６（ｂ）は、本実施例のアクティブバッファ回路により、アクティブコンデンサに２００Ｖのバイアス電圧を印加した場合の各電圧を示す。図６（ｂ）の上段はアクティブコンデンサＣａの電圧Ｖａ、中段はパッシブコンデンサＣｐの電圧Ｖｃ、下段は直流リンク電圧Ｖｄｃを示す。図６（ｂ）上段に示すように、バイアス電圧の印加により、図６（ａ）上段に比して、アクティブコンデンサＣａの電圧Ｖａの波形が、上方に２００Ｖ分シフトしている。これに伴い、図６（ｂ）中段に示すように、パッシブコンデンサＣｐの電圧Ｖｃの波形は、図６（ａ）中段に比して、下方に２００Ｖ分シフトしており、パッシブコンデンサＣｐの電圧Ｖｃは低減されている。図６（ｂ）下段と図６（ａ）下段に見られるように、直流リンク６の電圧Ｖｄｃはほぼ同一であり、変動も同様に抑制されている。図６（ａ），（ｂ）のいずれにおいても、アクティブコンデンサＣａの両端には、パッシブコンデンサＣｐの電圧の両端の電圧に対して増減が反転するように変化する電圧が印加される。図６（ｂ）では、アクティブコンデンサＣａに、さらに直流バイアス電圧が印加される。
【００３１】
上述したシミュレーション結果によれば、従来はパッシブコンデンサＣｐとして耐圧７００Ｖが必要であったが、本実施例によれば、パッシブコンデンサＣｐは５００Ｖの耐圧で対応が可能となる。耐圧７００Ｖのコンデンサとして、Ｖｉｓｈａｙ製のＭＫＰ１８４８６８０７０４Ｙ５、耐圧５００Ｖのコンデンサとして、Ｐａｎａｓｏｎｉｃ製のＥＺＰＥ５０８０６ＭＴＡとを例に比較すると、耐圧７００Ｖでは部品総体積が０．２３リットルであるのに対し、耐圧５００Ｖでは、部品総体積が０．１８リットルであり、約２２％小型化できることとなる。
【００３２】
〔実施例２〕
実施例１では、アクティブコンデンサＣａが、直流電圧を全時間領域で担うため、アクティブバッファ回路８に入出力する電力が多くなり、結果的にアクティブバッファ回路８による損失が増大してしまう可能性がある。実施例２では、パッシブコンデンサＣｐの電圧が高くなる領域だけ、アクティブコンデンサＣａに直流電圧成分を担うように動作する。すなわち、パッシブコンデンサＣｐの電圧Ｖｃに所定の閾値を設定し、パッシブコンデンサＣａの電圧Ｖｃが閾値以上となる時間領域のみ、アクティブコンデンサＣａが直流電圧成分を担う。図７（ａ）は実施例１で説明したように、全時間領域でアクティブコンデンサＣａが直流電圧（破線で示す時間軸に平行な直線となる。）を担う場合の電圧Ｖａの波形を示す。
【００３３】
図７（ａ）の上側がアクティブコンデンサＣａの電圧Ｖａ、図７（ａ）の下側がパッシブコンデンサＣｐの電圧Ｖｃを示す。図７（ｂ）は本実施例の制御により、パッシブコン
デンサＣｐの電圧Ｖｃが閾値以上となる時間領域において、アクティブコンデンサＣａが直流電圧成分（破線で示す方形波となる。）を担う場合の電圧Ｖａの波形を示す。図７（ｂ）の上側がアクティブコンデンサＣａの電圧Ｖａ、図７（ｂ）の下側がパッシブコンデンサＣｐの電圧Ｖｃを示す。このようにすれば、アクティブバッファ回路８での損失を大きくすることなく、コンデンサＣａ２の耐圧を下げることができる。
【００３４】
なお、以下には本発明の構成要件と実施例の構成とを対比可能とするために、本発明の構成要件を図面の符号付きで記載しておく。
＜発明１＞
電力が出力される電力出力部（３）と該電力が入力される電力入力部（５）とを接続する電力通電路間（ＬＨ，ＬＬ）に接続された第１コンデンサ（Ｃｐ）を有し、第１コンデンサ（Ｃｐ）の充放電によって、該電力通電路（ＬＨ，ＬＬ）を介した前記電力の授受を行う電力バッファ装置（６）であって、
前記電力通電路間（ＬＨ，ＬＬ）に前記第１コンデンサ（Ｃｐ）と直列に接続され、両端の電圧が制御される少なくとも一つ以上の第２コンデンサ（Ｃａ）と、
前記第２コンデンサ（Ｃａ）の両端の電圧を制御する電圧制御回路（８）と、を備えた電力バッファ装置（６）において、
前記電圧制御回路（８）は、前記第２コンデンサ（Ｃａ）に、前記第１コンデンサ（Ｃｐ）の両端の電圧に対して増減が反転するように変化する電圧と、かつ、前記第１コンデンサ（Ｃｐ）の両端の電圧の直流成分の少なくとも一部に対応する直流バイアス電圧とを印加する制御を行うことを特徴とする電力バッファ装置（６）。
＜発明２＞
前記電圧制御回路（８）は、
前記第１コンデンサ（Ｃｐ）の電圧が所定の閾値を超える時間領域内において、前記第２コンデンサ（Ｃａ）に、前記１コンデンサ（Ｃｐ）の両端の電圧の直流成分の少なくとも一部に対応する直流バイアス電圧を印加することにより、前記第１コンデンサの両端電圧が所定値以下となるよう制御を行うことを特徴とする請求項１に記載の電力バッファ装置（６）。
＜発明３＞
前記電力出力部（３）は、直流電力又は交流電力を、前記出力される直流電力に変換する第１電力変換回路（３）であり、
前記電力入力部（５）は、前記入力される直流電力を、直流電力又は交流電力に変換する第２電力変換回路（５）であることを特徴とする請求項１又は２に記載の電力バッファ装置（６）。
＜発明４＞
前記第１電力変換回路（５）は、太陽光パネル（２）によって発電された直流電力を、前記出力される直流電力に変換するＤＣ／ＤＣコンバータ（３）であり、
前記第２電力変換回路（５）は、前記入力される直流電力を、系統電源（４）又は負荷に入力される交流電力に変換するインバータ（５）であることを特徴とする請求項３に記載の電力バッファ装置（６）。
＜発明５＞
請求項３に記載の電力バッファ装置（６）と、前記第１電力変換回路（３）と、前記第２電力変換回路（５）とを備えた電力変換装置。
＜発明６＞
請求項４に記載の電力バッファ装置（６）と、前記ＤＣ／ＤＣコンバータ（３）と、前記インバータ（５）とを備えたパワーコンディショナ（１）。
【符号の説明】
【００３５】
１      ：パワーコンディショナ
２      ：太陽光パネル
３      ：ＤＣ／ＤＣコンバータ
４      ：系統電源
５      ：インバータ
６  ：直流リンク
７      ：制御部
ＬＨ，ＬＬ    ：直流電源線
Ｃａ    ：アクティブコンデンサ
Ｃｐ    ：パッシブコンデンサ
ＳＷ１，ＳＷ２，ＳＷ３，ＳＷ４  ：スイッチ
８      ：第１アクティブバッファ回路
９      ：第２アクティブバッファ回路
Ｌ  ：リアクトル
【図１】
2019180164.tif 000003
【図２】
2019180164.tif 000004
【図３】
2019180164.tif 000005
【図４】
2019180164.tif 000006
【図５】
2019180164.tif 000007
【図６】
2019180164.tif 000008
【図７】
2019180164.tif 000009